(57)【特許請求の範囲】
【請求項１】
複数の図形を有する回転リールを備えた遊技機であって、
前記回転リールの図柄を視認可能にする表示窓部と、
前記表示窓部の周囲を囲む枠状に形成された窓枠部材と、
前記表示窓部の周囲に囲まれ、基板部材と、前記基板部材に設けられており前記回転リールに向けて光を照射する第１発光部と、前記基板部材において前記第１発光部の前方に設けられており、前記回転リールに向けて光を照射する第２発光部とを少なくとも有する第１発光部材と、
前記第２発光部から照射された光を前記遊技機の前方に向けて反射させる反射部材とを備え、
前記反射部材には、前記第２発光部から前記回転リールに向けて照射された光を前記遊技機の前方に向けて反射させる傾斜部が形成されるとともに、
前記反射部材は、前記傾斜部とは異なる位置に前記第１発光部材を設置するための設置部を有しており、前記設置部は、前記第１発光部との干渉を避けるとともに前記第１発光部のみを仕切るための切欠き部と、前記切欠き部に対して突出するように形成され前記第１発光部材を支持するための突出部とを備え、
前記第２発光部は前記切欠き部によっては仕切られないように構成されていることを特徴とする遊技機。
【発明の詳細な説明】
【技術分野】
【０００１】
本発明は、複数の図柄を有する回転リールを備えた遊技機に関する。
【背景技術】
【０００２】
従来から、複数個の図柄を有する回転リールを備えた遊技機があり、この種の遊技機としては、いわゆるパチンコ機やスロットマシン等が従来から知られている。例えば、従来から知られている一般的なスロットマシンは、周面に複数個の図柄を有する３個の回転リールが回転可能に設けられており、所定の条件が成立すると所定の速度で回転動作を開始し、所定時間経過後又は遊技者がストップボタンを押圧操作した時等に、各回転リールが停止するように構成されている。また、これら回転リールは、該回転リールの内側にＬＥＤ等からなる発光部材を配置して図柄を回転リールの内側から照らすことで、遊技者が図柄をより視認しやすくなるように構成されている。
【０００３】
スロットマシン等の各種遊技機においては、３個の回転リールが停止した時の図柄の並びによって入賞が決定するため、これら回転リールが設けられている箇所は遊技者の関心が遊技機の他の箇所に比べて大きく、そのために遊技者が視認する時間も他の場所に比べて多くなる傾向にある。遊技機では、これら回転リールが設けられている箇所の近傍に、回転リールの図柄を遊技者が視認できるようにするための表示窓を有する表示窓部が設けられているものがあり、このような遊技機においては、この表示窓部の装飾を華やかにしたり、表示窓部に設けた各種発光装置の発光態様を変化させる等して遊技の進行に応じた演出を行い、遊技の興趣を向上させている。例えば、特許文献１に記載されている遊技機は、図柄を視認する表示窓の周囲に、光を照射する照明装置や音声を出力するスピーカを設け、光や音によって演出を行い、遊技の興趣を向上させるように構成されている。
【先行技術文献】
【特許文献】
【０００４】
【特許文献１】特開２０１３−２３３３７９号公報
【発明の概要】
【発明が解決しようとする課題】
【０００５】
しかしながら、特許文献１に記載された遊技機は、表示窓の周囲に設けた発光部材から照射される光のほとんどが遊技者に向けて照射されるようになっていた。そのため、回転リールは、内側に配置されている発光部材によって所定個数の図柄が明るく照らされる程度になりがちで、回転リールは全体的に暗くなってしまう傾向が強かった。特に、回転リールは円筒形状をしており、遊技者にはその側面を視認させることができるように配置されているため、遊技者の視線が比較的行きやすい回転リールの上側部分は光が照射されずに暗くなってしまうという問題があった。一方、回転リールの上側部分に光を照射して明るくしようとすると、この場合は逆に遊技者に向けて行う演出が単調なものになってしまい、遊技の興趣を向上させることができないこともあった。
【０００６】
本発明は、上記した問題点に鑑みてなされたもので、回転リールを明るく視認することができ、遊技の興趣を向上させるような演出を行うことができる遊技機を提供することを目的とする。
【課題を解決するための手段】
【０００７】
本発明は、複数の図形を有する回転リールを備えた遊技機であって、前記回転リールの図柄を視認可能にする表示窓部と、前記表示窓部の周囲を囲む枠状に形成された窓枠部材と、前記表示窓部の周囲に囲まれ、基板部材と、前記基板部材に設けられており前記回転リールに向けて光を照射する第１発光部と、前記基板部材において前記第１発光部の前方に設けられており、前記回転リールに向けて光を照射する第２発光部とを少なくとも有する第１発光部材と、前記第２発光部から照射された光を前記遊技機の前方に向けて反射させる反射部材とを備え、前記反射部材には、前記第２発光部から前記回転リールに向けて照射された光を前記遊技機の前方に向けて反射させる傾斜部が形成されるとともに、前記反射部材は、前記傾斜部とは異なる位置に前記第１発光部材を設置するための設置部を有しており、前記設置部は、前記第１発光部との干渉を避けるとともに前記第１発光部のみを仕切るための切欠き部と、前記切欠き部に対して突出するように形成され前記第１発光部材を支持するための突出部とを備え、前記第２発光部は前記切欠き部によっては仕切られないように構成されていることを特徴とする遊技機を要旨とする。
【発明の効果】
【０００８】
本発明によれば、遊技機の回転リールに光を照射することができるので、回転リールを全体的に明るく照らすことができ、回転リールの視認性を向上させつつ、光を用いた演出態様を増加させることができ、遊技の興趣を向上させることが可能になる。
【図面の簡単な説明】
【０００９】
【図１】本発明の一実施形態に係る遊技機の外観を表す正面図である。
【図２】リールユニットの斜視図である。
【図３】窓枠部材の構成を表す分解斜視図である。
【図４】図４（ａ）は、第１発光部材及び第１反射部材の構成を表す斜視図であり、図４（ｂ）は第１発光部材を第１反射部材の上に配置した時の斜視図である。
【図５】第１発光部材を第１反射部材の上に配置した時の側面図である。
【図６】図６（ａ）は、第２発光部の斜視図であり、図６（ｂ）は第２発光部と第２反射部材の斜視図である。
【図７】第１発光部、第１反射部材、第２発光部及び第２反射部材の作用効果を説明するための説明図である。
【発明を実施するための形態】
【００１０】
本発明に係る遊技機の実施の形態について、図面を用いて具体的に説明する。本実施の形態では、本発明に係る遊技機の一例として、スロットマシンに適用した例について説明する。なお、本明細書において、遊技機（スロットマシン）に関して「前側」、「後側」は、遊技機を正面から見た場合（図１参照）のそれぞれ正面側（前面側）、裏面側（後面側）を示す。また、遊技機に関して、「上下左右」とは、遊技機を正面から見た場合における上側、下側、左側及び右側を示すものとする。また、本明細書においては、「後側」のことを「裏側」、「背面側」と言うことがあり、前後方向のことを「奥行方向」と言うことがある。
【００１１】
図１に示すように、スロットマシン１は、前扉２と本体キャビネット３とを備えている。前扉２は、本体キャビネット３の前面側に、該本体キャビネット３の開口を塞ぐように設けられている。図１に示すように、前扉２には、メダルの貯留又は遊技開始時にメダルを投入する投入口４、貯留されているメダルを１枚掛けることができる１ベットボタン５、貯留されているメダルを３枚掛けることができるＭＡＸベットボタン６、第１〜第３回転リール１２ａ〜１２ｃを回転駆動させて遊技を開始する際に操作するスタートレバー７、第１〜第３回転リール１２ａ〜１２ｃの回転を停止させる際に操作する第１〜第３ストップボタン８ａ〜８ｃ、メダルを受けるための受け皿９を備えている。
【００１２】
本体キャビネット３は、正面側が開口形成された箱状の部材で、後述するリールユニット１１及びメダルを払い出すための図示しないホッパー装置等が内部に収納配置されている。図２に示すように、リールユニット１１は、図示しない駆動モータによって回転駆動するように構成された第１〜第３回転リール１２ａ〜１２ｃ及び液晶表示装置１３、液晶表示装置１３の左右側方に形成され、遊技の進行に応じて種々の態様で発光する発光装置１４等を枠状フレーム１５に対して取り付けて一つのユニットにしたものである。なお、スロットマシン１は、遊技に供される場合には第１〜第３回転リール１２ａ〜１２ｃのそれぞれに複数の図柄を描いたリールテープが設けられているが、説明の便宜上、図１においてはリールテープは記載せずに示している。
【００１３】
リールユニット１１には、前側に窓枠部材２１が取付固定されている。窓枠部材２１は、第１〜第３回転リール１２ａ〜１２ｃの図柄を視認することができるように形成された表示窓部２２と、液晶表示装置１３の表示画面で表示される各種アニメーション等の動画等を視認することができるように形成された液晶表示装置用窓部２３と、発光装置１４における発光態様を視認することができるように形成された発光装置用窓部２４とを有し、これら表示窓部２２、液晶表示装置用窓部２３及び発光装置用窓部２４の周囲を囲む枠状に形成された部材である。また、窓枠部材２１は、前面側にスロットマシン１の機種に対応した図示しない各種装飾体が取付固定されている。
【００１４】
図３に示すように、窓枠部材２１は、該窓枠部材２１のベースとなるベース体３１と、このベース体３１に取付固定される第１発光部材３２、反射部材としての第１反射部材３３、第２発光部材３４及び第２反射部材３５とを備えている。
【００１５】
ベース体３１は、窓枠部材２１の枠体として形成されている部材であり、リールユニット１１の前端側（即ち、枠状フレーム１５の前面側）に取付固定することができるように構成されている。このベース体３１には、リールユニット１１に取付固定された時に、該リールユニット１１の第１〜第３回転リール１２ａ〜１２ｃの図柄を視認することができる位置に表示窓部２２が形成され、液晶表示装置１３の表示画面を視認することができる位置に液晶表示装置用窓部２３が形成され、さらに発光装置１４を視認することができる位置に発光装置用窓部２４が形成されている。これら表示窓部２２、液晶表示装置用窓部２３及び発光装置用窓部２４は、表示窓部２２の上に液晶表示装置用窓部２３が形成され、この液晶表示装置用窓部２３の左右両側に発光装置用窓部２４が形成されている。
【００１６】
また、窓枠部材２１には、該窓枠部材２１の裏側に第１発光部材３２を取付固定するための第１発光部材固定部３６、第１反射部材３３を取付固定するための第１反射部材固定部３９、第２発光部材３４を取付固定するための第２固定部３８及び第２反射部材３５を取付固定するための第２反射部材固定部４３が形成されている。
【００１７】
第１発光部材固定部３６は、窓枠部材２１を裏側から見た場合における表示窓部２２の左上部と右上部に形成されている第１固定部３７と、第１固定部３７の間に形成されている第２固定部３８とから構成されている。これら第１固定部３７及び第２固定部３８は、第１発光部材３２を裏側から差し込むことが可能な溝状に形成されている。また、第１固定部３７は、階段状に形成されている。即ち、第１固定部３７は、第１発光部材３２が差し込まれる口となる後端側の端部の幅が第１発光部材３２を構成する後述する基板の厚さよりも大きくなるように形成されており、第１固定部３７の口から前側に所定距離入った箇所において、溝の幅が基板の厚さと略同じになるように形成されている。第２固定部３８は、第１固定部３７の間に形成されており、本実施の形態では左右方向に２か所形成されている。これら第２固定部３８は、第１発光部材３２が差し込まれる口となる後端側の端部の位置が第１固定部３７における後端側の端部の位置よりも前側に位置するように形成されており、その幅も第１発光部材３２の基板部材を差し込むことができ、かつこの差し込まれた第１発光部材３２にガタツキが生じない大きさに形成されている。
【００１８】
第１反射部材固定部３９は、第２固定部３８の下方に形成されている。本実施の形態では、２か所で第１反射部材３３をネジ止め固定することができるように形成されているが、第１反射部材３３の取付位置及び取付方法はこれに限定されるものではない。
【００１９】
第２発光部材固定部４０は、窓枠部材２１を裏側から見た場合における表示窓部２２の下側に形成されている。この第２発光部材固定部４０は、第２発光部材３４の第２基板部材６２を下側から支持する第１リブ４１と、第２基板部材６２を上側から支持する第２リブ４２とから構成されている。即ち、第２発光部材固定部４０は、第２発光部材３４の第２基板部材６２を配置する空間を有し、この空間に配置された第２基板部材６２を第１リブ４１と第２リブ４２とによって、該配置された状態を維持することができるように構成されている。なお、本実施の形態では、第１リブ４１は左右方向に３ヶ所形成され、第２リブ４２は左右方向に２ヶ所形成されているが、これら第１リブ４１及び第２リブ４２の数や、第１リブ４１及び第２リブ４２を形成する場所は限定されない。
【００２０】
第２反射部材固定部４３は、第２発光部材固定部４０の上方に形成されている。図３に示すように、第２反射部材固定部４３は、表示窓部２２の下部から上方に向けて突出形成されており、この突出形成されている箇所に開口形成されているネジ孔を用いて第２発光部材３４をネジ止め固定することができるように形成されている。
【００２１】
なお、本実施の形態では、第１発光部材固定部３６及び第１反射部材固定部３９は表示窓部２２の上部に形成した例を用いて説明したが、これら第１発光部材固定部３６及び第１反射部材固定部３９は、表示窓部２２の周囲に設けられていればよく、上記した位置に限定されない。また、本実施の形態では、第２発光部材固定部４０及び第２反射部材固定部４３は表示窓部２２の下部に形成した例を用いて説明したが、これら第２発光部材固定部４０及び第２反射部材固定部４３も、表示窓部２２の周囲に設けられていればよく、上記した位置に限定されない。
【００２２】
次に、第１発光部材３２の構成について説明する。第１発光部材３２は、第１基板部材５１、第１発光部５２及び第２発光部５３を備えている。第１基板部材５１は、第１発光部材３２のベースとなる部材であり、第１発光部材固定部３６に取付固定することができる大きさに形成されている。この第１発光部材３２は、本実施の形態では長方形状に形成されているが、この形状に限定されるものではない。
【００２３】
第１発光部５２及び第２発光部５３には、複数の発光ダイオード（ＬＥＤ）を用いて形成されている。これら第１発光部５２及び第２発光部５３は、第１基板部材５１の長手方向と同じ方向に複数個のＬＥＤを配列して形成されている。即ち、第１基板部材５１には、第１発光部５２を構成するＬＥＤの列と、第２発光部５３を構成するＬＥＤの列とが配列されている。第１発光部５２は、第１発光部材３２を第１発光部材固定部３６に取付固定した時に前側に位置するように第１基板部材５１に配列されている。また、第２発光部５３は、第１発光部５２の後側に位置するように配列されている。これら第１発光部５２及び第２発光部５３は、第１基板部材５１の短手方向に向かって所定の間隔を有するように配列されている。これら第１発光部５２及び第２発光部５３は、いずれも、基板の表面に対して略直交する方向に向けて光を照射するように設けられている。
【００２４】
第１反射部材３３は、第１取付部５７、設置部５８及び第１反射部５９を有している。また、第１反射部材３３は、上方に第１発光部材３２が配置されるように構成されている。第１取付部５７は、第１反射部材３３を第１反射部材固定部３９に取付固定するためのもので、該第１反射部材３３を第１反射部材固定部３９に取付固定することが可能な位置に形成されている。なお、本実施の形態では、第１取付部５７はネジが挿通可能な大きさの挿通孔を２ヶ所に設けた構成にしているが、第１反射部材固定部３９に取付固定することができれば、他の構成であってもよい。
【００２５】
設置部５８は、第１発光部材３２を設置するためのもので、切欠き部６０と突出部６１とを有している。切欠き部６０は、第１反射部材３３の上方に配置される第１発光部材３２の第１発光部５２を構成するＬＥＤとの干渉を回避するためのものである。第１反射部材３３の上方に第１発光部材３２が配置されると、この切欠き部６０が形成されている箇所に第１発光部５２のＬＥＤが位置する。突出部６１は、切欠き部６０に対して突出するように形成されている箇所である。この突出部６１は、第１発光部材３２を下から支持するためのもので、切欠き部６０と切欠き部６０との間に形成されている。なお、本実施の形態では、切欠き部６０と突出部６１とが交互に形成されているが、これらは別の態様で形成されていてもよい。
【００２６】
第１反射部５９は、第１反射部材３３の前面側に形成されている。この第１反射部５９は、第２発光部５３から照射される光の照射方向を遊技機の前方に向けて反射し、光が照射される方向を変更するためのものである。即ち、この第１反射部５９は、第２発光部５３から第１〜第３回転リール１２ａ〜１２ｃに向けて照射された光をスロットマシン１の前方に向けて反射させる傾斜面として形成されている。なお、本実施の形態では、第１反射部５９は、傾斜面が曲面状に形成されているが、第２発光部５３から照射される光をスロットマシン１の前方に向けて照射されるものであれば、これには限定されない。
【００２７】
図６に示すように、第２発光部材３４は、第２基板部材６２及び第３発光部６３を備えている。第２基板部材６２は、第２発光部材３４のベースとなる部材であり、第２発光部材固定部４０に取付固定することができる大きさに形成されている。この第２基板部材６２は、長方形状に形成されているが、この形状に限定されるものではない。
【００２８】
第３発光部６３は、複数のＬＥＤを用いて形成されている。この第３発光部６３は、第２基板部材６２の長手方向と同じ方向に複数のＬＥＤを配列して形成されている。第３発光部６３を構成するＬＥＤは、第２基板部材６２の表面に対して略直交する方向に向けて光を照射するように設けられている。
【００２９】
第２反射部材３５は、第２取付部６４、基板支持部６５、及び第２反射部６６を有している。第２取付部６４は、第２反射部材３５を第２反射部材固定部４３に取付固定するためのもので、該第２反射部材３５を第２反射部材固定部４３に取付固定することが可能な位置に形成されている。なお、本実施の形態では、第２取付部６４は、ネジが挿通可能な大きさの挿通孔を２ヶ所に設けた構成にしているが、第２反射部材固定部４３に取付固定することができれば、他の構成であってもよい。
【００３０】
基板支持部６５は、第２基板部材６２を支持するためのもので、第２発光部材固定部４０に固定された第２反射部材３５を後側から支持するように構成されている。即ち、この基板支持部６５は、上方向に向けて突出する上向きリブ６７と、下方向に向けて突出する下向きリブ６８と、これら上向きリブ６７の先端と下向きリブ６８との間に形成された差し込み空間を有しており、第２基板部材６２は、この差し込み空間に差し込まれる。そして、差し込まれた第２基板部材６２が上向きリブ６７と下向きリブ６８とによって支持され、第２基板部材６２の上下方向へのガタツキが生じないように構成されている。
【００３１】
第２反射部６６は、第２反射部材３５の前面側に形成されている。この第２反射部６６は、第３発光部６３から照射される光の照射方向を遊技機の前方に向けて反射し、光が照射される方向を変更するためのものである。即ち、この第２反射部６６は、第３発光部６３から第１〜第３回転リール１２ａ〜１２ｃに向けて照射された光をスロットマシン１の前方に向けて反射させる傾斜面として形成されている。なお、本実施の形態では、第２反射部６６は、傾斜面が曲面状に形成されているが、第３発光部６３から照射される光をスロットマシン１の前方に向けて照射されるものであれば、この構成には限定されない。また、第２反射部６６は、第１反射部３３とは角度が異なるように形成されることが好ましい。第１反射部３３の角度と第２反射部６６の角度とがそれぞれ異なるように形成することで、これら第１反射部３３で反射して照射される光と、第２反射部で反射して照射される光の反射角を異ならせ、遊技者に対して光を用いて行う演出をより効果的に行うことができる。即ち、第１反射部３３及び第２反射部６６は、それぞれ取付固定されている位置が異なるため、これら第１反射部３３及び第２反射部６６で反射される光の角度が同じになるようにすると、遊技者が遊技中に視認することのできる光は、第１反射部３３で反射された光か、又は第２反射部６６で反射された光のいずれか一方になりがちである。しかし、本実施の形態に係る遊技機のように、第１反射部３３の角度と第２反射部６６の角度とを異ならせることによって、これら第１反射部３３で反射される光と第２反射部６６で反射される光のいずれをも遊技者に確実に視認されることができ、光を用いた演出を効果的に行うことができるようになる。
【００３２】
このように構成された第１発光部材３２及び第２発光部材３４、並びに第１反射部材３３及び第２反射部材３５を窓枠部座に取付固定した状態を示すのが図７である。図７に示すように、第１発光部材３２及び第１反射部材３３は、窓枠部材２１の表示窓部２２上方に取付固定される。また、第１発光部材３２は、第１発光部５２及び第２発光部５３が下向きとなるように、第１反射部材３３の上方に配置される。この時、第１発光部材３２は、該第１発光部材３２の第１発光部５２が第１反射部材３３の第１反射部５９よりも後側に位置し、第２発光部５３が第１反射部５９よりも前側に位置するように配置される。上記した通り、第１発光部５２及び第２発光部５３は、いずれも第１基板部材５１と直交する略下向きに向けて光を照射する。この場合において、第１発光部５２は、第１反射部５９よりも後方に位置しているので、該第１発光部５２から照射された光はそのまま略下向きに直進し、第１発光部５２の下方に位置する第１〜第３回転リール１２ａ〜１２ｃに照射される。また、第２発光部５３は、第１発光部５２よりも前方であって、第１反射部５９の上方に配置されている。そのため、第２発光部５３から照射された光は、略下向きに直進した後に第１反射部５９において反射する。そして、反射した光は、スロットマシン１の前方に向けて直進する。
【００３３】
このように、本実施の形態に係るスロットマシン１では、第１発光部材３２に第１発光部５２及び第２発光部５３を設けており、第１発光部５２から照射された光は第１〜第３回転リール１２ａ〜１２ｃを照らし、第２発光部５３から照射された光は第１反射部材３３の反射部において反射した後に遊技者に向けて照射される。したがって、本発明に係るスロットマシン１では、第１〜第３回転リール１２ａ〜１２ｃを全体的に明るく照らしてこれら第１〜第３回転リール１２ａ〜１２ｃの視認性を大きく向上させることで遊技者の興趣を向上させることができると共に、併せて第２発光部５３から遊技者に向けて照射される光によっても遊技者の興趣を向上させることが可能になる。
【００３４】
また、本実施の形態に係るスロットマシン１では、第２発光部材３４に第３発光部６３を設けており、第３発光部６３から照射された光は第２反射部材３５の第２反射部６６において反射し、その後遊技者に向けて照射される。したがって、本実施の形態に係るスロットマシン１では、第３発光部６３から照射される光によっても遊技の演出を多様化することができ、遊技者の興趣をさらに向上させることが可能になる。
【００３５】
即ち、本実施の形態に係るスロットマシン１では、第２発光部５３及び第３発光部６３において照射される光によって遊技の演出を多様化することによる遊技者の興趣の向上に加え、第１発光部５２において照射される光によって第１〜第３回転リール１２ａ〜１２ｃの視認性を向上させることによる遊技者の興趣の向上を図ることができる。したがって、本実施の形態に係るスロットマシン１によれば、遊技者の興趣を大きく向上させることが可能になる。
【００３６】
以上、本発明に係る遊技機の実施の形態について詳細に説明したが、これらは本発明に係る遊技機に関する例示であり、これらの内容に限定されるものではなく、本発明の趣旨を逸脱しない範囲で、適宜変更してもよい。
【符号の説明】
【００３７】
１  スロットマシン
１１  リールユニット
１２ａ  第１回転リール
１２ｂ  第２回転リール
１２ｃ  第３回転リール
２１  窓枠部材
２２  表示窓部
３１  ベース体
３２  第１発光部材
３３  第１反射部材
３４  第２発光部材
３５  第２反射部材
３６  第１発光部材固定部
３７  第１固定部
３８  第２固定部
３９  第１反射部材固定部
４０  第２発光部材固定部
４３  第２反射部材固定部
５１  第１基板部材
５２  第１発光部
５３  第２発光部
５７  第１取付部
５８  設置部
５９  第１反射部
６０  切欠き部
６１  突出部
６２  第２基板部材
６３  第３発光部
６４  第２取付部
６５  基板支持部
６６  第２反射部
【図１】
0006434239.tif 000002
【図２】
0006434239.tif 000003
【図３】
0006434239.tif 000004
【図４】
0006434239.tif 000005
【図５】
0006434239.tif 000006
【図６】
0006434239.tif 000007
【図７】
0006434239.tif 000008